(57)【特許請求の範囲】
【請求項１】
屋根の壁取り合い位置で躯体壁面（６）とこれに隣接した葺き位置の屋根材（５）との間に所定幅の隣接隙間（Ｗ）が設けられ、該隣接隙間（Ｗ）内で野地板（３）上に設けられて屋根材（５）厚さとの段差を埋めるベース笠木（３０）と、
起立面（３５ａ）と天井面（３５ｂ）とで前記ベース笠木（３０）に被せられる鉤型断面を呈した笠木カバー部（３５）及び該笠木カバー部（３５）の躯体壁面（６）寄りで立ち上がる背板部（３６）及びその屋根内側方で屋根材（５）の下へ挟み込まれる差込板部（３７）を具備することでベース笠木（３０）を包み込む捨板水切（３１）と、
該捨板水切（３１）の笠木カバー部（３５）上に載置された状態で前記躯体壁面（６）と前記屋根材（５）上部とに差し渡し状に設けられる嵩上げ笠木（８）と、
該嵩上げ笠木（８）上に被せられる鉤型断面を呈した笠木カバー部（１２）及び該笠木カバー部（１２）の躯体壁面（６）寄りで立ち上がる背板部（１３）及び笠木カバー部（１２）の屋根内側方で屋根材（５）の上面へ差し出される雨返し板部（１４）を具備することで嵩上げ笠木（８）を包み込む雨押え（９）とを有し、
前記ベース笠木（３０）は、ネジ又は釘を任意箇所へ打てる金属板を素材として形成されており、上記捨板水切（３１）の笠木カバー部（３５）に対してその内天井面に当接する中天板部（４０）と、該中天板部（４０）における屋根内側方へ向けられる端部及び躯体壁面（６）へ向けられる端部からそれぞれ垂下方向へ折曲されることで野地板（３）からの所定高さを保持する裏当て脚部（４１）と、この両裏当て脚部（４１）の下端部で相対向する方向へ折曲された脚片（４２）とを有し、前記屋根内側方へ向けられる端部から折曲された裏当て脚部（４１）は捨板水切（３１）の笠木カバー部（３５）に対してその起立面（３５ａ）の裏面に当接しており、
前記嵩上げ笠木（８）は、ネジ又は釘を任意箇所へ打てる金属板を素材として形成されており、屋根材（５）に対する面平行状態で設置されると共に捨板水切（３１）の笠木カバー部（３５）を介してベース笠木（３０）の中天板部（４０）に対向して配備される取付ベース部（２０）と、該取付ベース部（２０）において屋根内側方へ向けられる端部から起立方向へ折曲されることで雨押え（９）の笠木カバー部（１２）に対してその起立面（１２ａ）裏面に当接する裏当て板部（２１）と、該裏当て板部（２１）の上端部から躯体壁面（６）へ向けて折曲されることで雨押え（９）の笠木カバー部（１２）に対してその内天井面に当接する天板支持部（２２）とを有しており、
前記ベース笠木（３０）の中天板部（４０）、笠木カバー部（３５）の天井面（３５ｂ）及び嵩上げ笠木（８）の取付ベース部（２０）を重合して野地板（３）に固定するネジ又は釘を打ち込んでいることを特徴とする屋根の壁取り合い部構造。
【請求項２】
屋根の壁取り合い位置で躯体壁面（６）とこれに隣接した葺き位置の屋根材（５）との間に所定幅の隣接隙間（Ｗ）が設けられ、該隣接隙間（Ｗ）内で野地板（３）上に設けられて屋根材（５）厚さとの段差を埋めるベース笠木（３０）と、
起立面（３５ａ）と天井面（３５ｂ）とで前記ベース笠木（３０）に被せられる鉤型断面を呈した笠木カバー部（３５）及び該笠木カバー部（３５）の躯体壁面（６）寄りで立ち上がる背板部（３６）及びその屋根内側方で屋根材（５）の下へ挟み込まれる差込板部（３７）を具備することでベース笠木（３０）を包み込む捨板水切（３１）と、
該捨板水切（３１）の笠木カバー部（３５）上に載置された状態で前記躯体壁面（６）と前記屋根材（５）上部とに差し渡し状に設けられる嵩上げ笠木（８）と、
該嵩上げ笠木（８）上に被せられる鉤型断面を呈した笠木カバー部（１２）及び該笠木カバー部（１２）の躯体壁面（６）寄りで立ち上がる背板部（１３）及び笠木カバー部（１２）の屋根内側方で屋根材（５）の上面へ差し出される雨返し板部（１４）を具備することで嵩上げ笠木（８）を包み込む雨押え（９）とを有し、
前記ベース笠木（３０）は、ネジ又は釘を任意箇所へ打てる金属板を素材として形成されており、上記捨板水切（３１）の笠木カバー部（３５）に対してその内天井面に当接する中天板部（４０）と、該中天板部（４０）における屋根内側方へ向けられる端部及び躯体壁面（６）へ向けられる端部からそれぞれ垂下方向へ折曲されることで野地板（３）からの所定高さを保持する裏当て脚部（４１）と、この両裏当て脚部（４１）の下端部で相対向する方向へ折曲された脚片（４２）とを有し、前記屋根内側方へ向けられる端部から折曲された裏当て脚部（４１）は捨板水切（３１）の笠木カバー部（３５）に対してその起立面（３５ａ）の裏面に当接しており、
前記嵩上げ笠木（８）は、ネジ又は釘を任意箇所へ打てる金属板を素材として形成されており、屋根材（５）に対する面平行状態で設置されると共に捨板水切（３１）の笠木カバー部（３５）を介してベース笠木（３０）の中天板部（４０）に対向して配備される取付ベース部（２０）と、該取付ベース部（２０）において屋根内側方へ向けられる端部から起立方向へ折曲されることで雨押え（９）の笠木カバー部（１２）に対してその起立面（１２ａ）裏面に当接する裏当て板部（２１）と、該裏当て板部（２１）の上端部から躯体壁面（６）へ向けて折曲されることで雨押え（９）の笠木カバー部（１２）に対してその内天井面に当接する天板支持部（２２）とを有しており、
前記嵩上げ笠木（８）は更に、取付ベース部（２０）において躯体壁面（６）へ向けられる端部から起立方向へ折曲されて雨押え（９）の笠木カバー部（１２）に対してその内天井面まで届く側板部（４５）と、該側板部（４５）の上端部から取付ベース部（２０）に面平行方向へ折曲された第２天板支持部（４６）とを有しており、
前記ベース笠木（３０）の中天板部（４０）、笠木カバー部（３５）の天井面（３５ｂ）及び嵩上げ笠木（８）の取付ベース部（２０）を重合して野地板（３）に固定するネジ又は釘を打ち込んでいることを特徴とする屋根の壁取り合い部構造。
【発明の詳細な説明】
【０００１】
【発明の属する技術分野】
本発明は、屋根の壁取り合い部構造に関するものである。
【０００２】
【従来の技術】
図１２は、桁方向での屋根の一般的な壁取り合い部構造（建物の中での位置付けとしては図４を参照）を示したもので、垂木２によって支持された野地板３に対し、その上面にアスファルトルーフィング等の防水シート４を張り付け、またその上に屋根材５を葺き、躯体壁面６とこれに隣接した葺き位置の屋根材５上部とに差し渡し状に嵩上げ笠木１００を取り付け、更に、この嵩上げ笠木１００を包み込むようなかたちで雨押え９を被せる構造としてある。
【０００３】
ここにおいて嵩上げ笠木１００は、桁方向に沿って長く形成された厚さ１８ｍｍ程度の木材に防腐処理を施して使用している。
また雨押え９は、厚さ０．４ｍｍ程度の金属板（亜鉛引鉄板等）によって形成されたもので、嵩上げ笠木１００上に被せられる鉤型断面を呈した笠木カバー部１２と、この笠木カバー部１２の躯体壁面６寄り（図１２の左方）で立ち上がる背板部１３と、笠木カバー部１２の屋根内側方（図１２の右方）で屋根材５の上面へ差し出される雨返し板部１４とを有した断面構造となっている。
【０００４】
しかし、このような構造では、雨押え９の笠木カバー部１２を嵩上げ笠木１００に固定している釘１０２等を伝って、嵩上げ笠木１００に雨水等がしみ込むことがあり、これが乾燥との繰り返しサイクルを経ることで、防腐処理を施したものであるといえども数年のうちには嵩上げ笠木１００が徐々に痩せてゆくという傾向が見受けられる。
加えて、嵩上げ笠木１００には、厚さ１８ｍｍといった寸法的に流通数の少ない素材を必要としているために入手が面倒であるという裏事情があり、建築当初から、厚さの不足した身近な代用材（例えば、コンパネ等の合板）を不正に使用されるおそれもあった。
【０００５】
そのため、これらが原因として上記の釘１０２や、嵩上げ笠木１００を野地板３側へ固定するのに用いられる釘１０３等に浮き上がり等が生ずることがあったが、こうなると、建物に新築から１０年といった長い保証期間を設ける新制度下にあっては、この保証期間中に釘１０２，１０３等の締め直しや嵩上げ笠木１００の交換・補修等を高頻度で行う必要が生じ、結果、メンテナンスへの対応が困難になるのではないかということが懸念される。
一方、図１３は、流れ方向での屋根の一般的な壁取り合い部構造（建物の中での位置付けとしては図９を参照）を示したもので、ここでは、躯体壁面６とこれに隣接した葺き位置の屋根材５との間に所定幅の隣接隙間Ｗが設けられるものとなっている。
【０００６】
従って、この隣接隙間Ｗ内の野地板３上に設けられて屋根材５の厚さとの段差を埋める受桟１０５と、この受桟１０５を包み込むようなかたちで捨板水切１０６が付加されるものとなっている。
ここにおいて受桟１０５は、屋根流れ方向に沿って長く形成された厚さ１８ｍｍ程度の木材に防腐処理を施して使用している。
また捨板水切１０６は、厚さ０．５ｍｍ程度の金属板（亜鉛引鉄板等）によって形成されたもので、受桟１０５に被せられる鉤型断面を呈した笠木カバー部１０７と、この笠木カバー部１０７の躯体壁面６寄り（図１３の左方）で立ち上がる背板部１０８と、笠木カバー部１０７の屋根内側方（図１３の右方）で屋根材５の下へ挟み込まれる差込板部１０９とを有した断面構造となっている。
【０００７】
このような構造でも、ある程度の経年使用によって受桟１０５に痩せが生じることがあり、また使用素材が厚さ１８ｍｍといった寸法的に流通数の少ない素材を必要としているために、厚さ不足の代用材を不正使用されるおそれがあるという点で、上記した嵩上げ笠木１００の場合と共通した不具合を具備するものとなっていた。
【０００８】
【発明が解決しようとする課題】
上記したように、嵩上げ笠木１００や受桟１０５として木材を使用すると、種々の理由から固定用の釘１０２，１０３等を締め込む等のメンテナンスが高頻度で必要になるため、これを何とかして解消したい（メンテナンスフリー化を目指したい）という要望が第１にある。
そこで、この要望に応える一つの案として、嵩上げ笠木１００や受桟１０５として、金属製角パイプ（図示略）を採用することが考えられた。しかし、このようにするには、素材とする角パイプに対して予め所定位置に、固定用釘１０２，１０３等を打ち込むための孔を形成させておく必要が生じることになる。
【０００９】
従って、このような孔加工のための手間が増え、素材コストの高騰化を招来することはもとより、施工時において孔位置を基準とした材料カットや位置合わせが必要となり、これらが作業的拘束（各種諸条件）を付加することになって、作業が面倒且つ困難になるということが予測されるものであった。
本発明は、上記事情に鑑みてなされたものであって、固定用の釘（ネジ等も含む）等に関してメンテナンスフリー化が図れるものとし、また嵩上げ笠木としての耐久性を高め、好ましくは木製の受桟に替えて採用する部材（後述する「ベース笠木」）としての耐久性をも高めるものとし、且つ全ての建築現場において雨押え等との組み上がり寸法・構造に適正な統一規格を保証できるようにした屋根の壁取り合い部構造を提供することを目的とする。
【００１０】
【課題を解決するための手段】
前記目的を達成するために、本発明は次の手段を講じた。
即ち、本発明に係る屋根の壁取り合い部構造では、屋根の壁取り合い位置で躯体壁面とこれに隣接した葺き位置の屋根材との間に所定幅の隣接隙間が設けられ、該隣接隙間内で野地板上に設けられて屋根材厚さとの段差を埋めるベース笠木と、
起立面（３５ａ）と天井面（３５ｂ）とで前記ベース笠木に被せられる鉤型断面を呈した笠木カバー部及び該笠木カバー部の躯体壁面寄りで立ち上がる背板部及びその屋根内側方で屋根材（５）の下へ挟み込まれる差込板部を具備することでベース笠木を包み込む捨板水切と、
該捨板水切の笠木カバー部上に載置された状態で前記躯体壁面と前記屋根材上部とに差し渡し状に設けられる嵩上げ笠木と、
該嵩上げ笠木上に被せられる鉤型断面を呈した笠木カバー部及び該笠木カバー部の躯体壁面寄りで立ち上がる背板部及び笠木カバー部の屋根内側方で屋根材の上面へ差し出される雨返し板部を具備することで嵩上げ笠木を包み込む雨押えとを有している。
【００１１】
また、前記ベース笠木は、ネジ又は釘を任意箇所へ打てる金属板を素材として形成されており、上記捨板水切の笠木カバー部に対してその内天井面に当接する中天板部と、該中天板部における屋根内側方へ向けられる端部及び躯体壁面へ向けられる端部からそれぞれ垂下方向へ折曲されることで野地板からの所定高さを保持する裏当て脚部と、この両裏当て脚部の下端部で相対向する方向へ折曲された脚片とを有し、前記屋根内側方へ向けられる端部から折曲された裏当て脚部は捨板水切の笠木カバー部に対してその起立面の裏面に当接している。
【００１２】
さらに、前記嵩上げ笠木は、ネジ又は釘を任意箇所へ打てる金属板を素材として形成されており、屋根材に対する面平行状態で設置されると共に捨板水切の笠木カバー部を介してベース笠木の中天板部に対向して配備される取付ベース部と、該取付ベース部において屋根内側方へ向けられる端部から起立方向へ折曲されることで雨押えの笠木カバー部に対してその起立面裏面に当接する裏当て板部と、該裏当て板部の上端部から躯体壁面へ向けて折曲されることで雨押えの笠木カバー部に対してその内天井面に当接する天板支持部とを有しているものとなっている。
【００１３】
そして、前記ベース笠木の中天板部、笠木カバー部の天井面及び嵩上げ笠木（８）の取付ベース部を重合して野地板に固定するネジ又は釘を打ち込んでいる。
現場においては、躯体壁面とこれに隣接した葺き位置の屋根材との間に、所定幅の隣接隙間が設けられる場合がある。これは、屋根の流れ方向での壁取り合い部構造において、よく見受けられるものである。このような場合、一般には、上記した隣接隙間内の野地板上に対して屋根材厚さとの段差を埋める受桟が設けられ、またこの受桟を包み込むかたちで捨板水切が設けられることとなる。
【００１４】
かかる構成に対し、本願発明においては、上記受桟を、ネジ又は釘を任意箇所へ打てる金属板を素材として形成したベース笠木と置換するものとしているのである。
ここで言う「ネジ又は釘を任意箇所へ打てる金属板」とは、ネジや釘を簡単に打つことができる材質及び厚さの金属板であることを指している。また同時に、ネジや釘を打つための孔はこのベース笠木を屋根の所定部へ取り付ける時点で、ネジや釘の打ち込み自体によって直接的に形成する、即ち、この金属板（ベース笠木）において当初の段階で孔は形成されていないことを指している。
【００１５】
このように、受桟に替わるベース笠木を金属板製とすることで、経年的な痩せの問題を解消し、また、このベース笠木自体として部品形状及び部品寸法としての規格化を図ったものとしている。
また、ベース笠木が金属板製であることは、複数のベース笠木を持ち運びやストックするとき等の積層時にその積層容量をコンパクトにできるという副次的効果も招来するものである。
なお、上記した捨板水切は、ベース笠木に被せられる鉤型断面を呈した笠木カバー部と、笠木カバー部の躯体壁面寄りで立ち上がる背板部と、笠木カバー部の屋根内側方で屋根材の下へ挟み込まれる差込板部とを有したものである。
【００１６】
ベース笠木は、中天板部と、この中天板部の一端部から垂下方向へ折曲される裏当て脚部とを有したものとする。
中天板部は、捨板水切の笠木カバー部に対してその内天井面に当接させた状態で使用するものであり、裏当て脚部は、この中天板部のうち、少なくとも屋根内側方へ向けられる捨板水切の笠木カバー部に対してその起立面裏面に当接しつつ、野地板からの所定高さを保持するように使用するものである。
また、上記嵩上げ笠木は、ネジ又は釘を任意箇所へ打てる金属板を素材として形成されている。
【００１７】
なお、「ネジ又は釘を任意箇所へ打てる金属板」とは、ネジや釘を簡単に打つことができる材質及び厚さの金属板であることを指しているのと同時に、ネジや釘を打つための孔はこの嵩上げ笠木を屋根の所定部へ取り付ける時点で、ネジや釘の打ち込み自体によって直接的に形成する、即ち、この金属板（嵩上げ笠木）において当初の段階で孔は形成されていないことを指しているものである。
このように、嵩上げ笠木を金属板製とすることで、経年的な痩せの問題を解消し、また、この嵩上げ笠木自体として部品形状及び部品寸法としての規格化を図ったものとしている。
【００１８】
また、嵩上げ笠木が金属板製であることは、複数の嵩上げ笠木を持ち運びやストックするとき等の積層時にその積層容量をコンパクトにできるという副次的効果も招来するものである。
また、嵩上げ笠木に上述の如く天板支持部を設けると、雨押えの笠木カバー部を確実且つ強固に支持することができる。
ところで、嵩上げ笠木は、取付ベース部において躯体壁面へ向けられる端部から起立方向へ折曲されて、雨押えの笠木カバー部に対してその内天井面まで届くようになる側板部と、この側板部の上端部から取付ベース部に面平行方向へ折曲された側端支持部とを有したものとすることができる。
【００１９】
このようにするのは、本発明に係る屋根の壁取り合い部構造を、流れ方向に適用する場合に、特に適している。
【００２０】
【発明の実施の形態】
以下、本発明の実施の形態を、図面に基づき説明する。
図１乃至図３は、本発明に係る屋根の壁取り合い部構造における第１実施形態を示している。この第１実施形態は、図４中のＸ−Ｘ線指示から明らかなように、屋根の桁方向へ適用したものである。
この壁取り合い部構造は、垂木２によって支持された野地板３に対し、その上面にアスファルトルーフィング等の防水シート４を張り付け、またこの防水シート４上にスレート瓦等の屋根材５を葺きあげ、そのうえで躯体壁面６（サイディング材等の施工面６Ａを指すものとしても又はその下地面６Ｂを指すものとしてもよい）とこれに隣接した葺き位置となる屋根材５の上部とに差し渡し状となるようにして嵩上げ笠木８を設け、この嵩上げ笠木８に対してその上方を包み込むようなかたちで雨押え９を被せる構造となっている。
【００２１】
すなわち、この壁取り合い部構造では、嵩上げ笠木８と雨押え９とを有したものとなっている。
なお、雨押え９は、嵩上げ笠木８の上方に被せられる鉤型断面を呈した笠木カバー部１２と、この笠木カバー部１２において躯体壁面６寄り（図１左方寄り）とされる部分で立ち上がる背板部１３と、笠木カバー部１２の屋根内側方（図１右方）で屋根材５の上面へ差し出される雨返し板部１４とを有したものとなっている。
【００２２】
これら嵩上げ笠木８及び雨押え９は、いずれも桁方向（図４参照）に沿って長く形成されている。
本発明において、嵩上げ笠木８は金属板製とされており、従って経年的な痩せの問題は一切生じない。
また、この嵩上げ笠木８自体として、部品形状及び部品寸法を所望形状に、また高精度で規格化できるという利点も有している。すなわち、嵩上げ笠木８はその規格統一化が可能となっている。
【００２３】
上記雨押え９は従来同様、金属板製である。
嵩上げ笠木８の形成素材として使用可能な金属板には、例えば亜鉛引鉄板やステンレス板等がある。この金属板の板厚は、０．３〜０．６ｍｍとすればよい。０．３ｍｍよりも薄いと強度的に不足し、また０．６ｍｍよりも分厚いと、この嵩上げ笠木８をその上部の雨押え９やその下部の野地板３と固定する釘やネジ等（以下、「固定具１７」と言う）を打ち込み難くくなるか又は打ち込めなくなり、不適である。また、高コスト化や持ち運び時の重荷化等の面でも適度な厚さに抑えておくのが好適となる。最適厚さとしては０．５ｍｍ程度である。
【００２４】
上記雨押え９についても、形成素材及び板厚等の事情は略同様である。
なお、上記固定具１７には釘を用いてもよいとしているが、メンテナンスフリー化を一層進めるにはネジ（ステンレス製のスクリュウネジ等）を用いるのが好適である。
上記嵩上げ笠木８において、その断面構造は、取付ベース部２０と、この取付ベース部２０において屋根内側方へ向けられる端部から起立方向へ折曲される裏当て板部２１と、この裏当て板部２１の上端部から躯体壁面６へ向けて折曲される天板支持部２２と、取付ベース部２０において躯体壁面６へ向けられる端部から起立方向へ折曲される背板部２３とを有したものとなっている。
【００２５】
これら取付ベース部２０、裏当て板部２１、天板支持部２２，背板部２３には、そのいずれにも固定具１７を打ち込むための孔は設けられておらず、上記の説明から自明なように固定具１７の打ち込みによって直接的に、必要とされる位置及び必要とされる数だけ、孔を形成させてゆくものである。
従って、固定具１７の打ち込み位置が拘束されることは全くなく、また予め孔を設けておく場合に比べれば加工手間や、不使用孔の孔塞ぎの手間（防水処理）等を解消できる利点がある。
【００２６】
取付ベース部２０は、屋根材５に対する面平行状態で設置されるものである。従って、屋根材５等に対してその上の所定位置にこの嵩上げ笠木８を載置したうえで、取付ベース部２０の上から屋根材５及び防水シート４を介して野地板３、更には必要に応じて垂木２へと、固定具１７を打ち込むようにする。
裏当て板部２１は、雨押え９の笠木カバー部１２に対し、その起立面１２ａの裏面に面接触状に当接させて使用するものである。従って、屋根材５上にこの嵩上げ笠木８が取り付けられた後、この嵩上げ笠木８に雨押え９を被せたうえで、この雨押え９における笠木カバー部１２の起立面１２ａの外面側から裏当て板部２１へ向けて固定具１７を打ち込むようにする。
【００２７】
天板支持部２２は、雨押え９の笠木カバー部１２に対してその天井面１２ｂの内面（即ち、内天井面）へ面接触状に当接させて（即ち、笠木カバー部１２を支持する状態で）使用するものである。この天板支持部２２に対して固定具１７を打ち込むことはしないものであり、従って当然に、孔を設けることもない。
この天板支持部２２を設けると、雨押え９の笠木カバー部１２を支持でき、その支持を確実且つ強固にできることは言うまでもないが、いま仮に、裏当て板部２１の上端部のみによって雨押え９の笠木カバー部１２を支持させるような場合を想定してみるとしても、この場合に比べ、この天板支持部２２で笠木カバー部１２に対する支持面積を拡大できることになり、笠木カバー部１２の支持を一層、確実且つ強固なものとすることが可能になる。
【００２８】
天板支持部２２の上面幅（図１中における右下がりの左右方向）は、長すぎると、自身の撓みを誘発することになるため、形成素材となっている金属板の材質や厚さ等に応じて剛性を保てる範囲で可及的に長くすればよい。具体的には、１０ｍｍとした。
背板部２３は、野地板３上から躯体壁面６の下地面６Ｂに対して立ち上げた防水シート４を背にして、その外面側へ面接触状に当接させて使用するものである。
【００２９】
なお、この背板部２３は、嵩上げ笠木８に対して設けることが限定されるものではない。
図５乃至図８は、本発明に係る屋根の壁取り合い部構造における第２実施形態を示している。この第２実施形態は、図９中のＹ−Ｙ線指示から明らかなように、屋根の流れ方向へ適用したものである。
この壁取り合い部構造は、基本的には上記した第１実施形態と共通の構成を具備したものであって、野地板３の上面に防水シート４を張り付け、この防水シート４上にスレート瓦等の屋根材５を葺きあげ、そのうえで躯体壁面６（サイディング材等の施工面６Ａ又はその下地面６Ｂ）とこれに隣接した葺き位置となる屋根材５の上部とに差し渡し状となるようにして嵩上げ笠木８を設け、この嵩上げ笠木８に対してその上方を包み込むようなかたちで雨押え９を被せる構造となっている。
【００３０】
この第２実施形態における第１実施形態との違いは、上記嵩上げ笠木８及び雨押え９の基本構成に対して、更にベース笠木３０と捨板水切３１とが付加されている点にある。これらベース笠木３０や捨板水切３１も、嵩上げ笠木８や雨押え９と同じく桁方向（図９参照）に沿って長く形成されている。
すなわち、このような流れ方向部分では、躯体壁面６とこれに隣接した葺き位置の屋根材５との間に、屋根材５の存在しない所定幅の隣接隙間Ｗが設けられることになる。そのため、上記のベース笠木３０は、この隣接隙間Ｗ内の一部又は全部を埋めて、その内側の野地板３（防水シート４）上面と屋根材５の上面との間で、屋根材５の厚さによる段差が生じないようにしているものである。
【００３１】
また、上記捨板水切３１は、ベース笠木３０に対してその上部を包み込むようになったものであり、ベース笠木３０に被せられる鉤型断面を呈した笠木カバー部３５と、この笠木カバー部３５において躯体壁面６寄りとされる部分で立ち上がる背板部３６と、笠木カバー部３５において屋根内側方で屋根材５の下へ挟み込まれる差込板部３７とを有したものとなっている。
なお、このように本第２実施形態では、捨板水切３１に背板部３６が設けられていることから、嵩上げ笠木８では上記第１実施形態とは異なって背板部（図３等の符号２３参照）を省略したかたちとしてある。
【００３２】
ベース笠木３０は、作用的に見ると従来の木製の受桟に対応するものであるが、このベース笠木３０は金属板製とされている点で、この従来の受桟とは構成が全く異なるものとなっている。従って経年的な痩せの問題は一切生じない。
また、このベース笠木３０自体として、部品形状及び部品寸法を所望形状に、また高精度で規格化できるという利点も有している。すなわち、ベース笠木３０はその規格統一化が可能となっている。
上記捨板水切３１は従来同様、金属板製である。
【００３３】
ベース笠木３０の形成素材として使用可能な金属板には、例えば亜鉛引鉄板やステンレス板等がある。この金属板の板厚は、０．３〜０．６ｍｍとすればよい。０．３ｍｍよりも薄いと強度的に不足し、また０．６ｍｍよりも分厚いと、このベース笠木３０を、その上部の捨板水切３１や嵩上げ笠木８と共にその下部の野地板３に固定する固定具１７を打ち込み難くなるか又は打ち込めなくなり、不適である。また、高コスト化や持ち運び時の重荷化等の面でも適度な厚さに抑えておくのが好適となる。最適厚さとしては０．５ｍｍ程度である。
【００３４】
上記捨板水切３１についても、形成素材及び板厚等の事情は略同様である。
上記ベース笠木３０において、その断面構造は、中天板部４０と、この中天板部４０における屋根内側方へ向けられる端部及び躯体壁面６へ向けられる端部の両方から、それぞれ垂下方向へ折曲される裏当て脚部４１と、これら裏当て脚部４１の下端部で相対向する方向へ折曲された脚片４２とを有したものとなっている。
中天板部４０は、捨板水切３１の笠木カバー部３５に対してその天井面３５ｂの内面（即ち、内天井面）へ面接触状に当接させて（即ち、笠木カバー部３５を支持する状態で）使用するものである。
【００３５】
裏当て脚部４１は、野地板３からの中天板部４０の持ち上げ高さを所定に保持するものであるが、捨板水切３１の笠木カバー部３５に対してその起立面３５ａの裏面に面接触状に当接する作用を重要とするものであり、従って、少なくとも屋根内側方へ向けられる端部に設けられたものが重要とされる。
図１０及び図１１は、嵩上げ笠木８の更に別実施形態と、これを用いた屋根の壁取り合い部構造（即ち、第３実施形態）とを示している。
本第３実施形態に示す嵩上げ笠木８が、上記第２実施形態のそれと異なるところは、その断面構造において更に、取付ベース部２０において躯体壁面６へ向けられる端部から起立方向へ折曲された側板部（立ち上がり部）４５と、この側板部４５の上端部から躯体壁面６（図示は省略するが、場合によっては屋根外側方でもよい）へ向けて折曲される第２天板支持部４６とを追加したかたちとなっている点にある。
【００３６】
第２天板支持部４６は、雨押え９における笠木カバー部１２の天井面１２ｂに対して上記天板支持部２２の当接位置よりも躯体壁面６寄りとなる位置を、その裏面から当接させて（即ち、笠木カバー部１２を支持する状態で）使用するものである。天板支持部２２の場合と同様に、この第２天板支持部４６に対して固定具１７を打ち込むことはしないものであり、従って当然に、孔を設けることもない。
言うまでもなく、このように天板支持部２２だけでなく第２天板支持部４６をも設けるようにすることで、雨押え９における笠木カバー部１２に対する支持面積を更に拡大できることになり、笠木カバー１２の支持を一層、確実且つ強固なものにできる。
【００３７】
また、第２天板支持部４６を設ける場合、その上面幅は、長すぎると、自身の撓みを誘発することになるため、形成素材となっている金属板の材質や厚さ等に応じて剛性を保てる範囲で可及的に長くすればよい。具体的には、１０ｍｍとした。
ところで、本発明は、上記各実施形態に限定されるものではなく、実施の状況に応じて各部の寸法的及び形状的な変更や、材質的な変更等が可能である。
【００３８】
【発明の効果】
以上の説明で明らかなように、本発明に係る屋根の壁取り合い部構造では、嵩上げ笠木として、ネジや釘の打てる金属板製としているので、この嵩上げ笠木が経年的な痩せの問題を生じることは決してないものであり、その耐久性は従来に比して飛躍的に向上している。従って、この嵩上げ笠木と、その上部の雨押えやその下部の野地板とを固定する釘やネジ等が浮き上がり等の不具合を起こすことはなく、これによってこれら釘やネジ等に関してメンテナンスフリー化が図れる。
【００３９】
また、嵩上げ笠木自体として部品形状及び部品寸法としての規格化が図れるため、全ての建築現場において雨押え等との組み上がり寸法・構造に適正な統一規格を保証できる利点がある。
また、嵩上げ笠木が金属板製であることは、複数の嵩上げ笠木を持ち運びやストックするとき等の積層時にその積層容量をコンパクトにできるという副次的効果も招来するものである。
また、従来にあって受桟をも用いるような場合に、この受桟に替えて、ネジや釘の打てる金属板製のベース笠木を採用するものとすれば、このベース笠木に関しても、上記嵩上げ笠木と同様な数々の作用効果が得られるものである。
【図面の簡単な説明】
【図１】  本発明に係る屋根の壁取り合い部構造を桁方向において適用した第１実施形態を示す要部正面断面図（図４のＸ−Ｘ線拡大断面図に相当）である。
【図２】  第１実施形態を分解した状態で示した要部正面断面図である。
【図３】  第１実施形態で使用している嵩上げ笠木を示す斜視図である。
【図４】  建物において桁方向における屋根壁取り合い部構造の所在を示す斜視図である。
【図５】  本発明に係る屋根の壁取り合い部構造を流れ方向において適用した第２実施形態を示す要部正面断面図（図９のＹ−Ｙ線拡大断面図に相当）である。
【図６】  第２実施形態を分解した状態で示した要部正面断面図である。
【図７】  第２実施形態で使用している嵩上げ笠木を示す斜視図である。
【図８】  第２実施形態で使用しているベース笠木を示す斜視図である。
【図９】  建物において流れ方向における屋根壁取り合い部構造の所在を示す斜視図である。
【図１０】  本発明に係る屋根の壁取り合い部構造を流れ方向において適用した第３実施形態を示す要部正面断面図（図９のＹ−Ｙ線拡大断面図に相当）である。
【図１１】  第３実施形態で使用している嵩上げ笠木を示す斜視図である。
【図１２】  従来における屋根の壁取り合い部構造の桁方向部分を示す要部正面断面図（図４のＸ−Ｘ線拡大断面図に相当）である。
【図１３】  本発明に係る屋根の壁取り合い部構造を流れ方向部分を示す要部正面断面図（図９のＹ−Ｙ線拡大断面図に相当）である。
【符号の説明】
３    野地板
５    屋根材
６    躯体壁面
８    嵩上げ笠木
９    雨押え
１２    笠木カバー部
１２ａ  笠木カバー部の起立面
１３    背板部
１４    雨返し板部
１７    固定具（ネジ又は釘）
２０    取付ベース部
２１    裏当て板部
２２    天板支持部
３０    ベース笠木
３１    捨板水切
３５    笠木カバー部
３５ａ  笠木カバー部の起立面
３６    背板部
３７    差込板部
４０    中天板部
４１    裏当て脚部
４５    側板部
４６    第２天板支持部
【図１】
0004059607.tif 000002
【図２】
0004059607.tif 000003
【図３】
0004059607.tif 000004
【図４】
0004059607.tif 000005
【図５】
0004059607.tif 000006
【図６】
0004059607.tif 000007
【図７】
0004059607.tif 000008
【図８】
0004059607.tif 000009
【図９】
0004059607.tif 000010
【図１０】
0004059607.tif 000011
【図１１】
0004059607.tif 000012
【図１２】
0004059607.tif 000013
【図１３】
0004059607.tif 000014